(57)【要約】【課題】短時間に処理できて、かつ、被験者に適した髪色を提示することができる染毛剤選択方法を提供する。【解決手段】被験者の髪を染毛する染毛剤を選択する染毛剤選択方法を、被験者の皮膚の色を測定する皮膚色測定工程（ステップＳ１１）と、皮膚色測定工程（ステップＳ１１）において測定された皮膚の色から、この色に対応する被験者の髪色の色相を決定する色相決定工程（ステップＳ１２）と、色相決定工程（ステップＳ１２）において決定された色相に応じた複数の染毛の仕上がり状態の中から、被験者の仕上り状態を選択する仕上り状態選択工程（ステップＳ１３）と、によって実行する。【選択図】図１
2018143370.tif 000002
【特許請求の範囲】
【請求項１】
被験者の髪を染毛する染毛剤を選択する染毛剤選択方法であって、
被験者の皮膚の色を測定する皮膚色測定工程と、
前記皮膚色測定工程において測定された皮膚の色から、当該色に対応する前記被験者の髪色の色相を決定する色相決定工程と、
前記色相決定工程において決定された色相に応じた複数の染毛の仕上がり状態の中から、前記被験者の仕上り状態を選択する仕上り状態選択工程と、
を含むことを特徴とする染毛剤選択方法。
【請求項２】
前記被験者の髪の状態を判定する髪状態判定工程をさらに含み、
前記仕上り状態選択工程において選択された前記仕上り状態及び前記髪状態判定工程において判定された髪の状態に基づいて、前記被験者の髪の染毛に使用される剤を決定する剤決定工程と、を含む、請求項１に記載の染毛剤選択方法。
【請求項３】
前記髪状態判定工程は、髪の白髪の割合、髪の損傷の程度、髪の色、髪の硬さ及び髪の太さの少なくとも一つを判定する、請求項２に記載の染毛剤選択方法。
【請求項４】
前記髪状態判定工程において第１の被験者よりも第２の被験者の方が髪に白髪の割合が多いと判定された場合、前記剤決定工程において、前記第２の被験者の髪の染毛に使用される第２の剤として、前記第１の被験者の髪の染毛に使用される第１の剤よりも明度の低い剤が選択される、請求項３に記載の染毛剤選択方法。
【請求項５】
前記髪状態判定工程においては、白髪と白髪でない非白髪とが混在した髪の状態を再現する白髪スケールを使って前記被験者の白髪の状態を判定する、請求項３または４に記載の染毛剤選択方法。
【請求項６】
前記皮膚色測定工程においては、前記被験者の頬及び顔輪郭の色を測定する、請求項１から５のいずれか１項に記載の染毛剤選択方法。
【請求項７】
前記仕上り状態選択工程は、染毛剤によって着色された状態の髪の色を示すカラーチャートと前記被験者の皮膚の色を比較して行われる、請求項１から６のいずれか１項に記載の染毛剤選択方法。
【請求項８】
染毛剤の選択に使用されるカラーチャートであって、
複数色の色相毎に、明度の異なる染毛剤によって着色された状態の髪の色を示す複数の色見本を含むことを特徴とする、カラーチャート。
【請求項９】
支持体と、当該支持体に支持された毛束と、を有し、前記毛束は、白色の毛と、白色でない非白色の毛とを含むことを特徴とする、白髪スケール。
【請求項１０】
前記毛束は、前記白色の毛と前記非白色の毛との混合比が異なる複数の領域を有する、請求項９に記載の白髪スケール。
【発明の詳細な説明】
【技術分野】
【０００１】
本発明は、染毛剤選択方法、カラーチャート及び白髪スケールに関する。
【背景技術】
【０００２】
現在、白髪を染毛する染毛剤として、様々な色（以下、「染毛色」とも記す）が用意されている。このため、その髪が染毛される者（以下、「被験者」と記す）は、多くの染毛色から好みの色を選定し、この染毛色の染毛剤を使用して染毛している。また、第三者のアドバイスによって染毛色を決定することも行われている。このような染毛色の決定方法は、例えば、特許文献１及び特許文献２に記載さている。
特許文献１に記載の髪色アドバイスシステムでは、被験者の撮影情報をパーソナルコンピュータ（以下、「ＰＣ」と記す）に蓄積する。そして、ＰＣにおいて被験者の毛髪領域を識別させ、毛髪領域の色を変えてシミュレーションを行っている。
また、特許文献２に記載のヘアカラーアドバイスツールでは、被験者（顧客）の髪の太さ、痛み具合、白髪の割合等を判定し、判定の結果に基づいて被験者が希望する染毛剤で被験者の髪を染めた場合の仕上り状態を提示する。そして、サービスの提供者は、染毛後の仕上り状態を被験者の髪色に近付けることに適した剤をアドバイスする。
【先行技術文献】
【特許文献】
【０００３】
【特許文献１】特開２００１−１９５５６８号公報
【特許文献２】特開２００５−１４３６５５号公報
【発明の概要】
【発明が解決しようとする課題】
【０００４】
しかしながら、特許文献１に記載の発明は、パソコンの操作者が被験者の撮影情報のうちの毛髪領域と非毛髪領域とを切り分けるためにマスキング処理を行う必要がある。このような処理は、パソコンの操作に不慣れな操作者にとっては煩雑で負荷がかかるものであった。さらに、毛髪領域の色を無条件に次々変えるとすると、シミュレーションに時間がかかって店舗等での実施が難しくなることが懸念される。また、特許文献２に記載の発明は、白髪割合等に応じて顧客の希望する髪色に仕上り具合を近づけるように判定するものであり、顧客に似合う染毛剤の選択に何ら寄与するものではない。
本発明は、上記の点に鑑みてなされたものであり、短時間に処理できて、かつ、被験者に適した髪色を提示することができる染毛剤選択方法、カラーチャート及び白髪スケールを提供することを目的とする。
【課題を解決するための手段】
【０００５】
本発明の一態様の染毛剤選択方法は、被験者の髪を染毛する染毛剤を選択する染毛剤選択方法であって、被験者の皮膚の色を測定する皮膚色測定工程と、前記皮膚色測定工程において測定された皮膚の色から、当該色に対応する前記被験者の髪色の色相を決定する色相決定工程と、前記色相決定工程において決定された色相に応じた複数の染毛の仕上がり状態の中から、前記被験者の仕上り状態を選択する仕上り状態選択工程と、を含むことを特徴とする。
本発明の一態様のカラーチャートは、染毛剤の選択に使用されるカラーチャートであって、複数色の色相毎に、明度の異なる染毛剤によって着色された状態の髪の色を示す複数の色見本を含むことを特徴とする。
本発明の一態様の白髪スケールは、支持体と、当該支持体に支持された毛束と、を有し、前記毛束は、白色の毛と、白色でない非白色の毛とを含むことを特徴とする。
【発明の効果】
【０００６】
上記した本発明は、短時間に処理できて、かつ、被験者に適した髪色を提示することができる染毛剤選択方法、カラーチャート及び白髪スケールを提供することができる。
【図面の簡単な説明】
【０００７】
【図１】本発明の一実施形態の染毛剤選択方法を説明するための手順を説明するためのフローチャートである。
【図２】図１に示した皮膚色測定工程及び色相決定工程に使用されるビューティアナライザーを説明するための図である。
【図３】図１に示した色相決定工程で決定した髪色の色相の出力例を示した図である。
【図４】図１に示した仕上り状態選択工程において、皮膚の色と比較されるフィッティングツールの一例を示した図である。
【図５】図１に示した髪状態判定工程で使用される白髪スケールを説明するための図である。
【図６】白髪スケールの他の構成例を示した図である。
【図７】図１に示した剤決定工程に使用されるカラーチャートを説明するための図である。
【発明を実施するための形態】
【０００８】
以下、本発明の一実施形態を図面に基づいて説明する。尚、すべての図面において、同様の構成要素には同様の符号を付し、重複する説明は適宜省略する。
［染毛剤選択方法］
先ず、本実施形態の染毛剤選択方法について説明する。本実施形態の染毛剤選択方法は、被験者の皮膚の色のうち、特に色相に合わせて髪色を選択することによって被験者に似合う髪色を選択するものである。そして、選択された色相の中から染毛の仕上り状態を選択することによって染毛剤の選択肢を絞り、染毛剤の選択にかかる処理の時間を抑えるものである。
図１は、本実施形態の染毛剤選択方法を説明するための手順を説明するためのフローチャートである。フローチャートに示した染毛剤選択方法は、被験者の髪を染毛する染毛剤を選択する染毛剤選択方法である。ここでいう染毛剤は、白髪を白以外の髪色に染毛する所謂「白髪染め」をいうものとする。ただし、本実施形態は、白髪染めに限定されるものでなく、白髪以外の髪を任意の色に染毛する剤にも適用することができる。
図１に示したフローチャートは、被験者の皮膚の色を測定する皮膚色測定工程（ステップＳ１１）と、皮膚色測定工程において測定された皮膚の色から、この色に対応する被験者の髪色の色相を決定する色相決定工程（ステップＳ１２）と、色相決定工程において決定された色相に応じた複数の染毛の仕上がり状態の中から、被験者の仕上り状態を選択する仕上り状態選択工程（ステップＳ１３）と、を含んでいる。
さらに、本実施形態の染毛剤選択工程は、被験者の髪の状態を判定する髪状態判定工程（ステップＳ１４）、選択された被験者の希望する仕上り状態を実現する染毛剤を決定する剤決定工程（ステップＳ１５）を含んでいる。
【０００９】
上記工程において、皮膚色測定工程においては、例えば、皮膚の色を画像データとして取り込み、画像において皮膚を表す領域の色を、色相、明度及び彩度等の要素の１つまたは複数によって判定するようにしてもよい。色相決定工程は、上記要素のうちの色相を抽出しても良いし、抽出した色相に彩度等の他の要素を考慮して色相を調整してもよい。色相決定工程では、さらに、例えば、抽出または調整後の色相を予め設定された髪色の色相に対応付けることによって皮膚の色相から髪色の色相を決定してもよい。また、仕上り状態選択工程では、染毛後の髪色の明度を被験者が任意に選択する。髪状態判定工程では、被験者の髪の状態（髪に白髪が混在する割合等）を判定する。ただし、本実施形態は、髪の状態として白髪の割合を判定することに限定されず、髪の硬さや太さといった髪質、先に被験者の髪を染毛している剤や色、髪の痛み具合等を髪の状態として判定するようにしてもよい。
以下、上記各工程について説明する。
【００１０】
（皮膚色測定工程、色相決定工程）
図２は、図１に示した皮膚色測定工程（ステップＳ１１）及び色相決定工程（ステップＳ１２）に使用されるビューティアナライザー３を説明するための図である。ビューティアナライザー３は、撮像部３６及び演算部３０を有している。撮像部３６は、被験者の皮膚を撮像する図示しないＣＣＤ（Charge Coupled Device）を備え、ＣＣＤが皮膚を撮像することによって皮膚色を示す撮像データが生成される。撮像データは、皮膚の表面において反射する光を複数の色成分に分解し、各色成分の反射光の強度を示すデータである。
本実施形態では、図１に示した皮膚色測定工程において、被験者の頬及び顔輪郭の色を測定する。皮膚の色の測定を複数の測定点について行うのは、皮膚の色が被験者の顔及びその周辺における部位によって異なるためである。より具体的には、被験者が日常的に日焼け止めを使用している場合、頬は日焼けし難いために他の部位よりも白くなりやすいことが知られている。本実施形態は、この点に着目して頬とフェースラインの両方の色を測定して被験者の皮膚の色の測定を行っている。なお、この際、頬よりもフェースラインの方が髪に近接しているため、フェースラインの色の方が髪色に強く影響すると考えられる。本実施形態では、頬よりもフェースラインに重みをつけて被験者の皮膚全体の色を測定している。
【００１１】
撮像データは、演算部３０に入力される。演算部３０は、撮像部３６から撮像データを入力する入力インタフェース３１、色相決定部３２及び表示部３３を備えている。入力インタフェース３１、色相決定部３２及び表示部３３は、各々が特定の目的のために使用されるプログラムである。また、本実施形態では、ビューティアナライザー３に汎用的なＰＣを用いている。このため、ビューティアナライザー３は、公知のＣＰＵ（Central Processing Unit）やＣＰＵの演算に必要なプログラムやデータが記憶される、あるいは演算処理のワークエリアとなるメモリ等のハードウェアを備えている。汎用的なＰＣは、このようなハードウェア上で入力インタフェース３１、色相決定部３２及び表示部３３のプログラムを実行させることによりビューティアナライザー３として機能できるようになる。
撮像データは、入力インタフェース３１を介して演算部３０に入力される。色相決定部３２は、撮像データから被験者の皮膚の色相を決定する。色相の決定は、例えば、撮像データが示す色のうちの顕著なものを求めることによって実現できる。また、本実施形態では、色相決定部３２に予め「ソフトオークル」、「オークル」、「ベージュ」の３つの色相が設定されていて、撮像データから抽出された色相を、このいずれかに振り分けることによって皮膚の色相から髪色の色相を決定している。
【００１２】
図３は、図１に示したステップＳ１２の色相決定工程で決定した髪色の色相の出力例を示した図である。図３の例では、表示部３３が、明度を縦軸に、色相を横軸にとったグラフＧをビューティアナライザー３の既存のディスプレイ３７に表示する。図３に示したグラフＧでは、色相が横軸の図中左方向に行くほど赤みが強く、右方向に行くほど黄色みが強くなっている。グラフＧにおいて、色相は「ソフトオークル（ＳＯ）」、「オークル（Ｃ）」、「ベージュ（ＢＥ）」の３つに分類されている。表示部３３は、色相決定部３２が撮像データから抽出した皮膚の色の色相と明度とに基づいて決定されたプロットの位置を特定する。そして、グラフ上にプロットが記された画像データを表示するための画像データを作成し、ディスプレイ３７に出力する。
なお、本実施形態では、撮像部３６を被験者の頬とフェースラインの両方に当ててそれぞれの撮像データを生成し、演算部３０に入力しているから、２つのプロットがグラフＧ上に記される。図３では、頬のプロットを「Ｃ」の記号で記し、フェースラインのプロットを「Ｆ」の記号で記す。図３に示した例によれば、頬とフェースラインの皮膚の色は、明度が等しく、フェースラインの色相が頬よりも黄色に近いことが分かる。図３に示した例では、頬、フェースライン共に色相がオークルに分類され、被験者に適した髪色の色相はオークルに分類される。
【００１３】
（仕上り状態選択工程）
次に、図１に示したステップＳ１３の仕上り状態選択工程について説明する。本実施形態の仕上り状態選択工程は、染毛剤によって着色された状態の髪の色を示すカラーチャートと被験者の皮膚の色を比較して行われる。ステップＳ１３は、ステップＳ１２において決定された色相の髪色と被験者の皮膚の色とのマッチングの確認をとる処理である。
図４（ａ）、図４（ｂ）及び図４（ｃ）は、図１に示したステップＳ１３の仕上り状態選択工程において、皮膚の色と比較されるカラーチャートの一例を示した図である。なお、図４（ａ）から（ｃ）に示したカラーチャートは、被験者の顔に近づけて似合う、似合わないの判断にあたり、被験者の顔に近づけることができるため、特にフィッティングツールとも呼ばれている。
図４（ａ）に示したフィッティングツール４１は、結束部４１ａと毛束部４１ｂとを有している。また、図４（ｂ）に示したフィッティングツール４２は結束部４２ａ及び毛束部４２ｂを有し、図４（ｃ）に示したフィッティングツール４３は結束部４３ａ及び毛束部４３ｂを有している。フィッティングツールの毛束部４１ｂ、４２ｂ、４３ｂは、互いに異なる色相の染毛剤によって染毛されている。また、本実施形態では、色相と共に明度をも変化させたフィッティングツールを複数用意しておく。このようなフィッティングツール４１、４２、４３は、被験者が自身の髪に重ねて顔を確認できるので、フィッティングツールの髪色が自身に似合うか否かを判断することができる。被験者は、ステップＳ１１で決定された髪色の色相のフィッティングツールのうち、明度の異なるものを順次髪に重ねて自身の姿を確認する。そして、気に入ったフィッティングツールを選択し、選択されたフィッティングツールの色相及び明度が被験者の希望する仕上り状態として選択される。
【００１４】
（髪状態判定工程）
ステップＳ１４は、被験者の髪の状態を判定する髪状態判定工程に相当する。ここでいう髪の状態とは、髪の染毛剤に対する染まり易さに関する状態をいい、本実施形態では髪の白髪と非白髪との割合を判定するものとする。白髪の割合の判定では、例えば、白髪と白髪でない非白髪とが混在した髪の状態を再現する白髪スケールを使って被験者の白髪の状態を判定する。本実施形態では、髪に見立てた白色の糸と黒色の糸とが混在した毛束を有する白髪スケールを被験者の髪に近づけて、両者を比較することによって白髪の割合を判定している。
ただし、本実施形態は、仕上り状態の選択に白髪の割合を用いるものに限定されるものでなく、髪の損傷の程度、髪の色、髪の硬さ及び髪の太さの少なくとも一つを含むものであってもよい。
【００１５】
（白髪スケール）
図５及び図６（ａ）、図６（ｂ）及び図６（ｃ）は、白髪の割合を判定するための白髪スケールを示す図である。図５に示した白髪スケール７は、支持体７０と毛束とを有していて、毛束が、白色の毛と非白色の毛との混合比が異なる複数の領域７１、７３、７５を有している。つまり、図５に示した白髪スケール７では、一つの毛束が白色の毛と非白色の毛との混合比が異なる領域７１、７３、７５をこの順で隣接させて連続させることで合わせたものになっている。本実施形態の白髪スケール７では、領域７１の白色の毛の混合比を５０％とし、領域７３の白色の毛の混合比を３０％とし、領域７５の白色の毛の混合比を１０％とした。
白髪スケール７によれば、白髪スケール７を被験者の髪に当てながら領域７１、７３、７５、７７の配列方向にずらし、被験者の髪の白髪の割合に最も近い領域、即ち白髪の混合比を判定することができる。
【００１６】
図６（ａ）に示した他の構成の白髪スケール６１は、支持体６１ａと、支持体６１ａに支持された毛束部６１ｂと、を有している。図６（ｂ）に示した白髪スケール６３は、支持体６３ａと、支持体６３ａに支持された毛束部６３ｂと、を有している。図６（ｃ）に示した白髪スケール６３は、支持体６３ａと、支持体６３ａに支持された毛束部６３ｂと、を有している。そして、毛束部６１ｂ、６３ｂ、６５ｂは、白色の毛と、白色でない非白色の毛とを含んでいる。なお、ここで毛束の「毛」の文言は、必ずしも人間の髪を指すものでなく、人間以外の動物の毛や人工的に製造された糸状の部材をも含んでいる。
毛束部６１ｂ、６３ｂ、６５ｂは、互いに白色の糸と黒色の糸との混合比が異なっていて、例えば、図６（ａ）に示した白髪スケール６１の全体に対する白色の糸の混合比（以下、単に「白色の糸の混合比」と記す）は５０％、図６（ｂ）に示した白髪スケール６３の白色の糸の混合比は３０％、図６（ｃ）に示した白髪スケール６５の白色の糸の混合比は１０％とする。被験者、あるいは染毛剤の選択に助言を与えるカウンセラーは、白髪スケール６１、６３、６５を被験者の髪に近づけて比較し、白髪スケール６１、６３、６５のうち、被験者の髪の状態に最も近い白髪スケール、ひいては白色の糸の混合比を選択する。そして、選択された混合比を被験者の白髪の混合比とする。
【００１７】
（剤決定工程及びカラーチャート）
次に、図１のステップＳ１５に示した剤決定工程を説明する。剤決定工程では、ステップＳ１３の仕上り状態選択工程で選択された仕上り状態と、ステップＳ１４の髪状態判定工程において判定された髪の状態に基づいて、被験者の髪の染毛に使用される剤を決定する。
図７は、染毛剤の選択に使用されるカラーチャートを説明するための図である。図示したカラーチャート８０は、複数色の色相毎に、明度の異なる染毛剤によって着色された状態の髪の色を示す複数の色見本８０ａから色見本８０ｊを含んでいる。図７に示したカラーチャート８０は、縦軸に明度、横軸にソフトオークル、オークル、ベージュの３つの髪色の色相を示している。なお、ローズ、ブラウン、ベージュの語句は、ソフトオークル、オークル、ベージュの色相にそれぞれ対応する剤の種別の名称である。色見本のうち、色見本８０ａ、８０ｂ、８０ｃはソフトオークルの色相に属している。色見本の明度は、色見本８０ａが最も高く、色見本８０ｂ、色見本８０ｃの順で低くなっている。また、色見本８０ｄ、８０ｅ、８０ｆはオークルの色相に属している。色見本の明度は、色見本８０ｄが最も高く、色見本８０ｅ、色見本８０ｆの順で低くなっている。また、色見本８０ｈ、８０ｉ、８０ｊはベージュの色相に属している。色見本の明度は、色見本８０ｈが最も高く、色見本８０ｉ、色見本８０ｊの順で低くなっている。色見本８０ｇは、ブラックの色見本である。
なお、本実施形態では、図４に示したカラーチャート４１、４２、４３が図７に示した色見本に対応する数及び色を有するように構成してもよい。
【００１８】
剤決定工程においては、先ず、ステップＳ１２において決定された色相を有する色見本の中から、ステップＳ１３において決定した髪色の明度の色見本が選択される。次に、ステップＳ１４において判定された白髪の混合比に基づいて、先に選択された色見本よりも明度が高い、あるいは低い色見本に対応する染毛剤が選択される。なお、色見本８０では、全ての色見本で白髪の割合が例えば３０％の髪を染毛剤で染めた場合のものとした。
上記した染毛剤の決定は、同じ染毛剤で白髪と非白髪とを染毛した場合、白髪の染毛の仕上りの方が、明度が高くなることによる。つまり、ステップＳ１４の髪状態判定工程において被験者Ａよりも被験者Ｂの方が髪に白髪の割合が多いと判定された場合、剤決定工程においては、被験者Ｂの髪の染毛に使用される染毛剤として、被験者Ａの髪の染毛に使用される染毛剤よりも明度の低い剤が選択される。より具体的には、被験者Ａ、被験者Ｂの髪色の色相が共にオークルであり、共に色見本８０ｅの仕上り状態を希望しているとする。そして、被験者Ａの白髪の混合比が１０％であり、被験者Ｂの白髪の混合比が５０％であるとする。このような場合、例えば、被験者Ａにはオークルのライトの染毛剤を使用して染毛を行い、被験者Ｂにはオークルのダークの染毛剤を使用して染毛を行うようにする。
なお、本実施形態は、このような構成に限定されるものではない。例えば、カラーチャート８０の明度をさらに多段階に設定し、髪における白髪の混合比に応じて染毛剤の明度のシフト量を変更してもよい。
【００１９】
以上説明した本実施形態は、被験者の皮膚の二箇所の画像を取り込むことによって髪色の色相を決定することができる。また、この色相の範囲において髪色の明度を選択し、染毛剤を選択することができる。このため、被験者に似合う髪色をシミュレーションによって選択する等の処理よりも短時間のうちに被験者の皮膚の色に合った染毛剤を選択することができる。また、本実施形態は、被験者の皮膚の色を、ビューティアナライザーを使って判定し、この判定結果から被験者の髪色の色相を決定しているから、被験者に似合う髪色を客観的に判断して決定することができる。
さらに、本実施形態は、被験者の白髪の混合比等の髪の状態に応じて染毛剤の明度を調整している。このため、本実施形態は、被験者のイメージに近い仕上りが実現できる染毛剤を選択することができる。
【００２０】
また、本実施形態は、以上、白髪染めを例にして説明した。しかし、本実施形態は、白髪染めに限定されるものではなく、髪の色素を抜いて染料を入れる、いわゆる「おしゃれ染め」にも適用することができる。本実施形態をおしゃれ染めに適用する場合、髪状態判定工程においては、被験者の現在の髪色（地毛の色の他、既に染毛されている髪色を含む）やダメージの程度等を判定する。ここで、ダメージの程度には、被験者の髪の色素の抜けの程度が含まれていて、被験者の髪の色素の抜け量が多いほど染毛後の髪色の明度が高くなることが知られている。このため、本実施形態をおしゃれ染めに適用する場合、髪のダメージが大きいほど染毛剤としては明度の低いものが選択される。
【００２１】
上記実施形態および実施例は以下の技術思想を包含するものである。
＜１＞  被験者の髪を染毛する染毛剤を選択する染毛剤選択方法であって、被験者の皮膚の色を測定する皮膚色測定工程と、前記皮膚色測定工程において測定された皮膚の色から、当該色に対応する前記被験者の髪色の色相を決定する色相決定工程と、前記色相決定工程において決定された色相に応じた複数の染毛の仕上がり状態の中から、前記被験者の仕上り状態を選択する仕上り状態選択工程と、を含むことを特徴とする染毛剤選択方法。
＜２＞  前記被験者の髪の状態を判定する髪状態判定工程をさらに含み、前記仕上り状態選択工程において選択された前記仕上り状態及び前記髪状態判定工程において判定された髪の状態に基づいて、前記被験者の髪の染毛に使用される剤を決定する剤決定工程と、を含む、＜１＞の染毛剤選択方法。
＜３＞  前記髪状態判定工程は、髪の白髪の割合、髪の損傷の程度、髪の色、髪の硬さ及び髪の太さの少なくとも一つを判定する、＜２＞の染毛剤選択方法。
＜４＞  前記髪状態判定工程において第１の被験者よりも第２の被験者の方が髪に白髪の割合が多いと判定された場合、前記剤決定工程において、前記第２の被験者の髪の染毛に使用される第２の剤として、前記第１の被験者の髪の染毛に使用される第１の剤よりも明度の低い剤が選択される、＜３＞の染毛剤選択方法。
＜５＞  前記髪状態判定工程においては、白髪と白髪でない非白髪とが混在した髪の状態を再現する白髪スケールを使って前記被験者の白髪の状態を判定する、＜３＞または＜４＞の染毛剤選択方法。
＜６＞  前記皮膚色測定工程においては、前記被験者の頬及び顔輪郭の色を測定する、＜１＞から＜５＞のいずれか１つの染毛剤選択方法。
＜７＞  前記仕上り状態選択工程は、染毛剤によって着色された状態の髪の色を示すカラーチャートと前記被験者の皮膚の色を比較して行われる、＜１＞から＜６＞のいずれか１つの染毛剤選択方法。
＜８＞  染毛剤の選択に使用されるカラーチャートであって、
複数色の色相毎に、明度の異なる染毛剤によって着色された状態の髪の色を示す複数の色見本を含むことを特徴とする、カラーチャート。
＜９＞  支持体と、当該支持体に支持された毛束と、を有し、前記毛束は、白色の毛と、白色でない非白色の毛とを含むことを特徴とする、白髪スケール。
＜１０＞  前記毛束は、前記白色の毛と前記非白色の毛との混合比が異なる複数の領域を有する＜９＞の白髪スケール。
【符号の説明】
【００２２】
３・・・ビューティアナライザー
７・・・白髪スケール
３０・・・演算部
３１・・・入力インタフェース
３２・・・色相決定部
３３・・表示部
３６・・・撮像部
３７・・・ディスプレイ
４１、４２、４３・・・カラーチャート
４１ａ、４２ａ、４３ａ・・・結束部
４１ｂ、４２ｂ、４３ｂ・・・毛束部
６１、６３、６５・・・白髪スケール
６１ａ、６３ａ、６５ａ・・・支持体
６１ｂ、６３ｂ、６５ｂ・・・毛束部
７１、７３、７５、７７・・・領域
８０・・・カラーチャート
【図１】
2018143370.tif 000003
【図２】
2018143370.tif 000004
【図３】
2018143370.tif 000005
【図４】
2018143370.tif 000006
【図５】
2018143370.tif 000007
【図６】
2018143370.tif 000008
【図７】
2018143370.tif 000009
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
被験者の髪を染毛する染毛剤を選択する染毛剤選択方法であって、
被験者の皮膚の色を測定する皮膚色測定工程と、
前記皮膚色測定工程において測定された皮膚の色の色相から、当該色相に対応する前記被験者の髪色の色相を決定する色相決定工程と、
前記色相決定工程において決定された色相であって、かつ明度の異なる複数の染毛の仕上り状態の中から、前記被験者の仕上り状態の選択を受け付ける仕上り状態選択工程と、
前記被験者の髪の状態を判定する髪状態判定工程と、
前記仕上り状態選択工程において受け付けられた前記仕上り状態及び前記髪状態判定工程において判定された髪の状態に基づいて、前記被験者の髪の染毛に使用される剤を決定する剤決定工程と、を含む、染毛剤選択方法。
【請求項２】
前記色相決定工程は、前記皮膚色測定工程において測定された皮膚の色の色相に対応して予め設定されている色相を前記被験者の髪色の色相に決定する、請求項１に記載の染毛剤選択方法。
【請求項３】
前記髪状態判定工程は、髪の白髪の割合、髪の損傷の程度、髪の色、髪の硬さ及び髪の太さの少なくとも一つを判定する、請求項１または２に記載の染毛剤選択方法。
【請求項４】
前記髪状態判定工程において第１の被験者よりも第２の被験者の方が髪に白髪の割合が多いと判定された場合、前記剤決定工程において、前記第２の被験者の髪の染毛に使用される第２の剤として、前記第１の被験者の髪の染毛に使用される第１の剤よりも明度の低い剤が選択される、請求項１から３のいずれか一項に記載の染毛剤選択方法。
【請求項５】
前記髪状態判定工程においては、白髪と白髪でない非白髪とが混在した髪の状態を再現する白髪スケールを使って前記被験者の白髪の状態を判定する、請求項１から４のいずれか一項に記載の染毛剤選択方法。
【請求項６】
前記皮膚色測定工程においては、前記被験者の頬及び顔輪郭の色を測定する、請求項１から５のいずれか１項に記載の染毛剤選択方法。
【請求項７】
前記仕上り状態選択工程は、染毛剤によって着色された状態の髪の色を示すカラーチャートと前記被験者の皮膚の色を比較して行われる、請求項１から６のいずれか１項に記載の染毛剤選択方法。
【請求項８】
被験者の皮膚の色を測定し、被験者の皮膚の色相を決定する皮膚色測定工程と、決定された皮膚の色相から、当該色に対応する前記被験者の髪色の色相を決定する色相決定工程と、前記色相決定工程において決定された色相であって、かつ明度の異なる複数の染毛の仕上り状態の中から、前記被験者の仕上り状態を選択する仕上り状態選択工程と、を含む染毛剤選択方法に使用されるカラーチャートであって、
複数の前記髪色の色相毎に、明度の異なる染毛剤によって着色された状態の髪の色を示す複数の色見本を含み、
前記複数の色見本は、前記染毛剤の明度を示す軸と、前記髪色の色相を示す他の軸との間に配置されることを特徴とする、カラーチャート。
【請求項９】
支持体と、当該支持体に支持されて、かつ白色の毛と、白色でない非白色の毛とを含む毛束と、を有し、前記毛束は、前記白色の毛と前記非白色の毛との混合比が異なる複数の領域を有し、複数の前記領域は、前記混合比の順に隣接することを特徴とする白髪スケール。